(57)【要約】【課題】原画像に付与画像を付与する場合に、原画像と付与画像をそれぞれ形成する際の位置ずれを考慮しない場合に比べて、位置ずれを目立ちにくくすること。【解決手段】入力される原画像（２１〜２６）を囲む大きさの付与画像（３１〜３３）を生成する生成手段（Ｃ９）であって、原画像（２１〜２６）の形成時と付与画像（３１〜３３）の形成時とにおいて、媒体（Ｓ１）での原画像（２１〜２６）と付与画像（３１〜３３）との位置ずれ量に基づいて、位置ずれ量よりも大きな付与画像（３１〜３３）を生成する生成手段（Ｃ９）を備えたことを特徴とする画像形成システム（Ｓ）。【選択図】図８
2020053896.tif 000002
【特許請求の範囲】
【請求項１】
入力される原画像に基づいて前記原画像を囲む大きさの付与画像を生成する生成手段であって、前記原画像の形成時と前記付与画像の形成時とにおいて、媒体での原画像と前記付与画像との位置ずれ量に基づいて、前記位置ずれ量よりも大きな前記付与画像を生成する生成手段と、
前記原画像と前記付与画像とを媒体に形成する像形成手段と、
を備えたことを特徴とする画像形成システム。
【請求項２】
予め定められた装飾性を有する前記付与画像であることを特徴とする請求項１に記載の画像形成システム。
【請求項３】
非対称な形状の図形により構成された前記付与画像であることをことを特徴とする請求項２に記載の画像形成システム。
【請求項４】
前記原画像と前記付与画像とが重なる領域および前記位置ずれ量の範囲内では濃度が最高に設定された前記付与画像であることを特徴とする請求項２に記載の画像形成システム。
【請求項５】
前記原画像と前記付与画像とが重なる領域および前記位置ずれ量の範囲よりも外側では、濃度が場所によって変化する前記付与画像であることを特徴とする請求項４に記載の画像形成システム。
【請求項６】
前記原画像を構成する要素に応じて、それぞれ前記付与画像を生成する前記生成手段、
を備えたことを特徴とする請求項１ないし５のいずれかに記載の画像形成システム。
【請求項７】
複数の付与画像の各画像領域において一方の画像領域が他方の画像領域に重複した場合に、前記複数の付与画像を合成した合成付与画像を生成する前記生成手段、
を備えたことを特徴とする請求項６に記載の画像形成システム。
【請求項８】
予め定められた複数の付与画像の中から利用者が選択した内容を入力可能な入力手段、
を備えたことを特徴とする請求項１ないし７のいずれかに記載の画像形成システム。
【請求項９】
付与画像の大きさを変更する入力が可能な前記入力手段
を備えたことを特徴とする請求項８に記載の画像形成システム。
【請求項１０】
予め定められた複数の色の中から利用者が選択した内容を入力可能な入力手段、
を備えたことを特徴とする請求項１ないし９のいずれかに記載の画像形成システム。
【請求項１１】
画像が印刷される媒体の種類に基づいて、前記付与画像として使用する色と、前記原画像と前記付与画像との印刷順と、を設定する設定手段、
を備えたことを特徴とする請求項１ないし１０のいずれかに記載の画像形成システム。
【請求項１２】
前記設定手段で設定された印刷順を利用者に告知する告知手段、
を備えたことを特徴とする請求項１ないし１１のいずれかに記載の画像形成システム。
【請求項１３】
原画像を形成する第１の像形成手段を有する第１の画像形成装置と、
付与画像を形成する第２の像形成手段を有し、前記第１の画像形成装置から搬出された媒体に画像を形成可能な第２の画像形成装置と、
を備えたことを特徴とする請求項１ないし１２のいずれかに記載の画像形成システム。
【請求項１４】
コンピュータを、
入力される原画像に基づいて前記原画像を囲む大きさの付与画像を生成する生成手段であって、前記原画像の形成時と前記付与画像の形成時とにおいて、媒体での原画像と前記付与画像との位置ずれ量に基づいて、前記位置ずれ量よりも大きな前記付与画像を生成する生成手段、
として機能させることを備えたことを特徴とする画像形成プログラム。
【発明の詳細な説明】
【技術分野】
【０００１】
本発明は、画像形成システムおよび画像形成プログラムに関する。
【背景技術】
【０００２】
複数の画像形成装置を使用して、１つの媒体に複数回画像を形成する技術に関して、下記の特許文献１、２に記載の技術が知られている。
【０００３】
特許文献１としての特開２０１１−１３７９５６号公報には、原本上の特定のオブジェクト（文字や図形）に対してクリアトナーの印刷が支持されている場合に、オブジェクト上にクリアトナーがずれないように印刷するために、印刷データからＣＭＹＫ有色トナー（第１の印刷データ）の画像とクリアトナー（第２の印刷データ）の画像を作成し、第２の印刷データの位置（オフセット、変倍、太らせ処理を含む）を補正して、版ずれを抑制する技術が記載されている。
【０００４】
特許文献２としての特開２００８−２８３５７４号公報には、画像データの高輝度領域を検出して、光沢色または蛍光色の特色画像データや、星形や十字型の画像に置き換えて印刷する技術が記載されている。
【先行技術文献】
【特許文献】
【０００５】
【特許文献１】特開２０１１−１３７９５６号公報（「００４２」〜「００６２」）
【特許文献２】特開２００８−２８３５７４号公報（「００２６」、「００４７」〜「００４９」、図１９、図２０）
【発明の概要】
【発明が解決しようとする課題】
【０００６】
本発明は、原画像に付与画像を付与する場合に、原画像と付与画像をそれぞれ形成する際の位置ずれを考慮しない場合に比べて、位置ずれを目立ちにくくすることを技術的課題とする。
【課題を解決するための手段】
【０００７】
前記技術的課題を解決するために、請求項１に記載の発明の画像形成システムは、
入力される原画像に基づいて前記原画像を囲む大きさの付与画像を生成する生成手段であって、前記原画像の形成時と前記付与画像の形成時とにおいて、媒体での原画像と前記付与画像との位置ずれ量に基づいて、前記位置ずれ量よりも大きな前記付与画像を生成する生成手段と、
前記原画像と前記付与画像とを媒体に形成する像形成手段と、
を備えたことを特徴とする。
【０００８】
請求項２に記載の発明は、請求項１に記載の画像形成システムにおいて、
予め定められた装飾性を有する前記付与画像であることを特徴とする。
【０００９】
請求項３に記載の発明は、請求項２に記載の画像形成システムにおいて、
非対称な形状の図形により構成された前記付与画像であることを特徴とする。
【００１０】
請求項４に記載の発明は、請求項２に記載の画像形成システムにおいて、
前記原画像と前記付与画像とが重なる領域および前記位置ずれ量の範囲内では濃度が最高に設定された前記付与画像であることを特徴とする。
【００１１】
請求項５に記載の発明は、請求項４に記載の画像形成システムにおいて、
前記原画像と前記付与画像とが重なる領域および前記位置ずれ量の範囲よりも外側では、濃度が場所によって変化する前記付与画像であることを特徴とする。
【００１２】
請求項６に記載の発明は、請求項１ないし５のいずれかに記載の画像形成システムにおいて、
前記原画像を構成する要素に応じて、それぞれ前記付与画像を生成する前記生成手段、
を備えたことを特徴とする。
【００１３】
請求項７に記載の発明は、請求項６に記載の画像形成システムにおいて、
複数の付与画像の各画像領域において一方の画像領域が他方の画像領域に重複した場合に、前記複数の付与画像を合成した合成付与画像を生成する前記生成手段、
を備えたことを特徴とする。
【００１４】
請求項８に記載の発明は、請求項１ないし７のいずれかに記載の画像形成システムにおいて、
予め定められた複数の付与画像の中から利用者が選択した内容を入力可能な入力手段、
を備えたことを特徴とする。
【００１５】
請求項９に記載の発明は、請求項８に記載の画像形成システムにおいて、
付与画像の大きさを変更する入力が可能な前記入力手段
を備えたことを特徴とする。
【００１６】
請求項１０に記載の発明は、請求項１ないし９のいずれかに記載の画像形成システムにおいて、
予め定められた複数の色の中から利用者が選択した内容を入力可能な入力手段、
を備えたことを特徴とする。
【００１７】
請求項１１に記載の発明は、請求項１ないし１０のいずれかに記載の画像形成システムにおいて、
画像が印刷される媒体の種類に基づいて、前記付与画像として使用する色と、前記原画像と前記付与画像との印刷順と、を設定する設定手段、
を備えたことを特徴とする。
【００１８】
請求項１２に記載の発明は、請求項１ないし１１のいずれかに記載の画像形成システムにおいて、
前記設定手段で設定された印刷順を利用者に告知する告知手段、
を備えたことを特徴とする。
【００１９】
請求項１３に記載の発明は、請求項１ないし１２のいずれかに記載の画像形成システムにおいて、
原画像を形成する第１の像形成手段を有する第１の画像形成装置と、
付与画像を形成する第２の像形成手段を有し、前記第１の画像形成装置から搬出された媒体に画像を形成可能な第２の画像形成装置と、
を備えたことを特徴とする。
【００２０】
前記技術的課題を解決するために、請求項１４に記載の発明の画像形成プログラムは、
コンピュータを、
入力される原画像に基づいて前記原画像を囲む大きさの付与画像を生成する生成手段であって、前記原画像の形成時と前記付与画像の形成時とにおいて、媒体での原画像と前記付与画像との位置ずれ量に基づいて、前記位置ずれ量よりも大きな前記付与画像を生成する生成手段、
として機能させることを備えたことを特徴とする。
【発明の効果】
【００２１】
請求項１，１４に記載の発明によれば、原画像に付与画像を付与する場合に、原画像と付与画像をそれぞれ形成する際の位置ずれを考慮しない場合に比べて、位置ずれを目立ちにくくすることができる。
請求項２に記載の発明によれば、原画像に装飾性を付与することができる。
請求項３に記載の発明によれば、対称な図形に比べて、位置ずれを目立ちにくくすることができる。
請求項４に記載の発明によれば、原画像が重なる領域と位置ずれ量の領域で濃度を最高にしない場合に比べて、原画像の色味が部分的に異なることを防止できる。
【００２２】
請求項５に記載の発明によれば、濃度が場所によって変化しない場合に比べて、装飾性の高い付与画像を作成できる。
請求項６に記載の発明によれば、文字や図形のような構成要素のそれぞれに対して付与画像を生成できる。
請求項７に記載の発明によれば、近接する構成要素をまとめて覆う付与画像を生成することができる。
請求項８に記載の発明によれば、利用者が目的や好みに応じて付与画像を指定することができる。
【００２３】
請求項９に記載の発明によれば、利用者が目的や好みに応じて付与画像の大きさを変更することができる。
請求項１０に記載の発明によれば、利用者が目的や好みに応じて付与画像の色を変更することができる。
請求項１１に記載の発明によれば、利用者の指定に応じて適切な印刷順を自動的に設定できる。
請求項１２に記載の発明によれば、利用者に適切な印刷順が告知されない場合に比べて、印刷間違いを防止できる。
請求項１３に記載の発明によれば、原画像と付与画像の両方を形成可能な専用の画像形成装置を備える場合に比べて、画像形成装置の費用を削減できる。
【図面の簡単な説明】
【００２４】
【図１】図１は本発明の実施例１の画像形成システムの全体説明図である。
【図２】図２は本発明の実施例１の画像形成装置の全体説明図である。
【図３】図３は実施例１の画像形成装置の要部拡大説明図である。
【図４】図４は実施例１のクライアントパソコンの制御部が備えている各機能を機能ブロック図で示した図である。
【図５】図５は実施例１の表示画面の説明図であり、図５Ａは装飾の設定の有無を指定する画面の説明図、図５Ｂは装飾画像の形状を設定する画面の説明図、図５Ｃは装飾画像の縁取り量を設定する画面の説明図、図５Ｄは装飾画像の色を設定する画面の説明図、図５Ｅは白引きの指定と視認方向を指定する画面の説明図、図５Ｆは印刷順を告知する画像の説明図である。
【図６】図６は実施例の装飾画像の一例の説明図であり、図６Ａは星形の装飾画像の説明図、図６Ｂは丸形の装飾画像の説明図、図６Ｃは四角形の装飾画像の説明図、図６Ｄは雲形の装飾画像の説明図である。
【図７】図７は実施例１のオブジェクト領域の説明図であり、図７Ａはカラー画像の一例の説明図、図７Ｂは図７Ａカラー画像から生成された特色画像の一例の説明図、図７Ｃは図７Ａのカラー画像と図７Ｂの特色画像が重ね合わされた印刷画像の説明図である。
【図８】図８は実施例１の付加画像の大きさの設定の説明図である。
【図９】図９は実施例１の付加画像の合成の説明図であり、図９Ａは合成前の各付加画像の説明図であり、図９Ｂは合成後の付加画像の説明図である。
【図１０】図１０は実施例１の下引き画像の説明図である。
【図１１】図１１は実施例１の複合機が備えている機能を機能ブロック図で示した図である。
【図１２】図１２は本発明の実施例１の印刷制御処理のフローチャートである。
【発明を実施するための形態】
【００２５】
次に図面を参照しながら、本発明の実施の形態の具体例としての実施例を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００２６】
図１は本発明の実施例１の画像形成システムの全体説明図である。
図１において、実施例１の画像形成システムＳは、情報処理装置の一例としてのクライアントパソコンＰＣを有する。前記クライアントパソコンＰＣは、通信回線の一例としてのネットワークＮを介して、画像形成装置の一例としての複合機Ｕに接続されている。実施例１の複合機Ｕは、複写、プリンタ、ＦＡＸ、スキャナの機能を利用可能な公知の画像形成装置である。実施例１では、ネットワークＮには、複数の複合機Ｕａ，Ｕｂが接続されている。
なお、実施例１のネットワークＮは、いわゆる、インターネット回線により構成されている。また、実施例１のクライアントパソコンＰＣは、電子計算機の一例としてのコンピュータ装置により構成されている。
【００２７】
実施例１の前記クライアントパソコンＰＣは、装置本体の一例としてのコンピュータ本体Ｈ１を有する。前記コンピュータ本体Ｈ１には、表示手段の一例としてのディスプレイＨ２が接続されている。また、前記コンピュータ本体Ｈ１には、入力手段の一例としてのキーボードＨ３およびマウスＨ４が接続されている。前記コンピュータ本体Ｈ１は、図示しない記憶手段の一例としてのＨＤドライブ、すなわち、ハードディスクドライブや、記憶媒体の読取装置の一例としてのＣＤドライブ、すなわち、コンパクトディスクドライブ等を有する。
【００２８】
図２は本発明の実施例１の画像形成装置の全体説明図である。
図２において、画像形成装置の一例としての複合機Ｕ（Ｕａ，Ｕｂ）は、上部の原稿搬送装置Ｕ１と、下部の装置本体Ｕ２とを有する。
前記原稿搬送装置Ｕ１は、原稿給紙部ＴＧ１を有する。原稿給紙部ＴＧ１には、複写しようとする複数の原稿Ｇｉが重ねて収容される。原稿給紙部ＴＧ１の下方には、原稿排紙部ＴＧ２が配置されている。原稿排紙部ＴＧ２は、原稿給紙部ＴＧ１から給紙されて、原稿読取り面ＰＧ上の原稿読取位置を通過した原稿Ｇｉが排出される。
【００２９】
前記装置本体Ｕ２は、利用者が画像形成動作開始等の作動指令信号を入力操作する操作部ＵＩと、露光光学系Ａ等を有している。操作部ＵＩには、表示部の一例としてのディスプレイＵＩａと、入力部の一例としての入力ボタンＵＩｂとを有する。なお、実施例１のディスプレイＵＩａは、いわゆるタッチパネルにより構成されており、利用者が指で触れることで入力することも可能に構成されている。すなわち、ディスプレイＵＩａは、入力部の機能も有する。
【００３０】
前記原稿搬送装置Ｕ１で原稿読取り面ＰＧ上を搬送される原稿または手動で原稿読取り面ＰＧ上に置かれた原稿からの反射光は、前記露光光学系Ａを介して、固体撮像素子ＣＣＤで赤：Ｒ、緑：Ｇ、青：Ｂの電気信号に変換される。
第１の複合機Ｕａでは、情報変換部ＩＰＳは、固体撮像素子ＣＣＤから入力される前記ＲＧＢの電気信号や、クライアントパソコンＰＣから送信された印刷情報を黒：Ｋ、イエロー：Ｙ、マゼンタ：Ｍ、シアン：Ｃの画像情報に変換して一時的に記憶し、前記画像情報を予め設定された時期に潜像形成用の画像情報として書込回路ＤＬに出力する。
なお、原稿画像が単色画像、いわゆる、モノクロの場合は、黒：Ｋのみの画像情報が書込回路ＤＬに入力される。
【００３１】
なお、実施例１では、第１の複合機Ｕａは、第１の現像剤の一例としての有色のＹ，Ｍ，Ｃ，Ｋの４色の現像剤を使用して画像形成を行うように構成されている。また、第２の複合機Ｕｂでは、Ｙ，Ｍ，Ｃ，Ｋの現像剤の色が透過可能な第２の現像剤の一例としての透明現像剤（いわゆるクリアトナー）と、Ｙ，Ｍ，Ｃ，Ｋの現像剤の色を遮光可能な第３の現像剤の一例としての金、銀、白の４つの現像剤を使用して画像形成を行うように構成されている。
以下の説明において、第１の複合機Ｕａと第２の複合機Ｕｂは、使用される現像剤が異なるだけで、構成自体は同様であるため、第１の複合機Ｕａについて説明を行い、第２の複合機Ｕｂについては詳細な説明は省略する。
【００３２】
前記書込回路ＤＬは、図示しない各色Ｙ，Ｍ，Ｃ，Ｋの各駆動回路を有し、入力された画像情報に応じた信号を予め設定された時期に、各色毎に配置された潜像形成装置の一例としてのＬＥＤヘッドＬＨｙ，ＬＨｍ，ＬＨｃ，ＬＨｋに出力する。なお、実施例１では、ＬＥＤヘッドＬＨｙ〜ＬＨｋは、発光素子の一例としてのＬＥＤが画像の幅方向に沿って線状に配列されたＬＥＤアレイにより構成されている。ＬＥＤヘッドＬＨｙ〜ＬＨｋは、入力された信号に応じて、ＬＥＤが発光する。したがって、ＬＥＤヘッドＬＨｙ〜ＬＨｋは、入力された信号に応じた書込光を出力する。
【００３３】
図３は実施例１の画像形成装置の要部拡大説明図である。
図２、図３において、各ＬＥＤヘッドＬＨｙ〜ＬＨｋの上方には、像保持手段の一例としての感光体ＰＲｙ，ＰＲｍ，ＰＲｃ，ＰＲｋが配置されている。
各感光体ＰＲｙ，ＰＲｍ，ＰＲｃ，ＰＲｋの回転方向に対して、ＬＥＤヘッドＬＨｙ〜ＬＨｋの上流側には、帯電手段の一例としての帯電ロールＣＲｙ，ＣＲｍ，ＣＲｃ，ＣＲｋが、感光体ＰＲｙ〜ＰＲｋに接触して配置されている。感光体ＰＲｙ〜ＰＲｋの回転方向に対して、ＬＥＤヘッドＬＨｙ〜ＬＨｋの下流側には、現像手段の一例としての現像装置Ｇｙ，Ｇｍ，Ｇｃ，Ｇｋが配置されている。感光体ＰＲｙ〜ＰＲｋの回転方向に対して、現像装置Ｇｙ〜Ｇｋの下流側には、１次転写手段の一例としての１次転写ロールＴ１ｙ，Ｔ１ｍ，Ｔ１ｃ，Ｔ１ｋが配置されている。感光体ＰＲｙ〜ＰＲｋの回転方向に対して、１次転写ロールＴ１ｙ〜Ｔ１ｋの下流側には、像保持手段の清掃手段の一例としての感光体クリーナＣＬｙ，ＣＬｍ，ＣＬｃ，ＣＬｋが配置されている。
【００３４】
前記Ｙ色の感光体ＰＲｙ、帯電ロールＣＲｙ、ＬＥＤヘッドＬＨｙ、現像装置Ｇｙ、１次転写ロールＴ１ｙ、感光体クリーナＣＬｙにより、可視像の一例としてのトナー像を形成する実施例１のＹ色の第１の像形成手段の一例としてのＹ色の作像部Ｕｙが構成されている。同様に、各感光体ＰＲｍ，ＰＲｃ，ＰＲｋ、帯電ロールＣＲｍ，ＣＲｃ，ＣＲｋ、ＬＥＤヘッドＬＨｍ，ＬＨｃ，ＬＨｋ、現像装置Ｇｍ，Ｇｃ，Ｇｋ、１次転写ロールＴ１ｍ，Ｔ１ｃ，Ｔ１ｋ、感光体クリーナＣＬｍ，ＣＬｃ，ＣＬｋにより、前記Ｍ，Ｃ，Ｋ色の作像部Ｕｍ，Ｕｃ，Ｕｋが構成されている。なお、第２の複合機Ｕｂにも、第２の像形成手段の一例として金（Ｇ）、銀（Ｓ）、白（Ｗ）に対応する作像部Ｕｇ，Ｕｓ，Ｕｗが設けられている。前記Ｙ，Ｍ，Ｃ、Ｋ，金、銀、白の作像部Ｕｙ〜Ｕｋ，Ｕｇ〜Ｕｗ，により、実施例１の像形成手段が構成されている。
【００３５】
前記感光体ＰＲｙ〜ＰＲｋの上方には、中間転写手段の一例としてのベルトモジュールＢＭが配置されている。ベルトモジュールＢＭは、像保持手段の一例であって、中間転写手段の一例として、無端帯状の中間転写ベルトＢを有する。中間転写ベルトＢは、駆動手段の一例としてのベルト駆動ロールＲｄと、張架部材の一例としてのテンションロールＲｔと、片寄りを補正する部材の一例としてのウォーキングロールＲｗと、従動部材の一例としてのアイドラロールＲｆと、２次転写領域の対向部材の一例としてのバックアップロールＴ２ａと、１次転写ロールＴ１ｙ，Ｔ１ｍ，Ｔ１ｃ，Ｔ１ｋと、により回転可能に支持されている。
【００３６】
前記中間転写ベルトＢを挟んでバックアップロールＴ２ａに対向する位置には、２次転写部材の一例としての２次転写ロールＴ２ｂが配置されている。実施例１では、バックアップロールＴ２ａは接地され、２次転写ロールＴ２ｂには電源回路Ｅからトナーの帯電極性と逆極性の２次転写電圧が印加される。バックアップロールＴ２ａおよび２次転写ロールＴ２ｂにより、２次転写手段の一例としての実施例１の２次転写器Ｔ２が構成されている。また、２次転写ロールＴ２ｂと中間転写ベルトＢとが接触する領域により２次転写領域Ｑ４が形成される。
【００３７】
中間転写ベルトＢの回転方向に対して、２次転写領域Ｑ４の下流側には、中間転写体の清掃器の一例として、ベルトクリーナＣＬｂが配置されている。
前記１次転写ロールＴ１ｙ〜Ｔ１ｋ、中間転写ベルトＢおよび２次転写器Ｔ２等により、実施例１の転写装置（転写手段）Ｔ１＋Ｔ２＋Ｂが構成されている。また、作像部Ｕｙ〜Ｕｋおよび転写装置Ｔ１＋Ｔ２＋Ｂとにより、実施例１の画像の記録部Ｕｙ〜Ｕｋ＋Ｔ１＋Ｔ２＋Ｂが構成されている。
ベルトモジュールＢＭの上方には、現像剤の収容容器の一例としてのトナーカートリッジＫｙ，Ｋｍ，Ｋｃ，Ｋｋが着脱可能に装着されている。
【００３８】
図２において、作像部Ｕｙ〜Ｕｋの下方には、案内部材の一例としての左右一対のガイドレールＧＲが３段設けられている。各ガイドレールＧＲには、給紙手段の一例としての給紙トレイＴＲ１〜ＴＲ３が前後方向に出入可能に支持されている。給紙トレイＴＲ１〜ＴＲ３には、媒体の一例としての記録シートＳ１が収容される。
給紙トレイＴＲ１〜ＴＲ３の左上方には、取出部材の一例としてのピックアップロールＲｐが配置されている。記録シートＳ１の搬送方向に対して、ピックアップロールＲｐの下流側には、捌き部材の一例としての捌きロールＲｓが配置されている。記録シートＳ１の搬送方向に対して、捌きロールＲｓの下流側には、媒体の搬送路の一例として、上方に延びる給紙路ＳＨが形成されている。給紙路ＳＨには、搬送部材の一例としての複数の搬送ロールＲａが配置されている。
【００３９】
給紙路ＳＨには、２次転写領域Ｑ４の上流側に、搬送時期の調節部材の一例としてのレジロールＲｒが配置されている。
記録シートＳ１の搬送方向に対して、２次転写領域Ｑ４の下流側には、定着手段の一例としての定着装置Ｆが配置されている。定着装置Ｆは、加熱用の定着部材の一例としての加熱ロールＦｈと、加圧用の定着部材の一例としての加圧ロールＦｐと、を有する。加熱ロールＦｈと加圧ロールＦｐとの接触領域により定着領域Ｑ５が構成されている。
定着装置Ｆの上方には、搬送路の一例としての排紙路ＳＨ３が配置されている。排紙路ＳＨ３は、媒体の排出部の一例として、装置本体Ｕ２の上面に形成された排紙トレイＴＲｈに向けて延びる。排紙路ＳＨ３の下流端の排出口ＳＨ３ａには、媒体の搬送部材の一例としての排紙ロールＲｈが配置されている。
【００４０】
（複合機の機能の説明）
前記構成を備えた実施例１の複合機Ｕでは、固体撮像素子ＣＣＤで読み取られた画像情報やクライアントパソコンＰＣから送信された印刷情報は、Ｙ，Ｍ，Ｃ，Ｋの画像情報に変換される。変換された画像情報に応じて、ＬＥＤヘッドＬＨｙ〜ＬＨｋが制御されて書込光が出力される。
各感光体ＰＲｙ〜ＰＲｋは、画像形成が開始されると回転駆動する。帯電ロールＣＲｙ〜ＣＲｋには、電源回路Ｅから帯電電圧が印加される。したがって、感光体ＰＲｙ〜ＰＲｋの表面は、帯電ロールＣＲｙ〜ＣＲｋにより帯電される。帯電された感光体ＰＲｙ〜ＰＲｋは、書込位置Ｑ１ｙ，Ｑ１ｍ，Ｑ１ｃ，Ｑ１ｋにおいて、ＬＥＤヘッドＬＨｙ〜ＬＨｋからの書込光により、表面に静電潜像が形成される。感光体ＰＲｙ〜ＰＲｋの静電潜像は、現像領域Ｑ２ｙ，Ｑ２ｍ，Ｑ２ｃ，Ｑ２ｋにおいて、現像装置Ｇｙ，Ｇｍ，Ｇｃ，Ｇｋの現像ロールＲ０ｙ，Ｒ０ｍ，Ｒ０ｃ，Ｒ０ｋにより可視像の一例としてのトナー像に現像される。現像装置Ｇｙ〜Ｇｋにおいて現像剤が消費されると、消費量に応じて、トナーカートリッジＫｙ〜Ｋｋから現像剤が補給される。
【００４１】
現像されたトナー像は、中間転写体の一例としての中間転写ベルトＢに接触する１次転写領域Ｑ３ｙ，Ｑ３ｍ，Ｑ３ｃ，Ｑ３ｋに搬送される。１次転写領域Ｑ３ｙ，Ｑ３ｍ，Ｑ３ｃ，Ｑ３ｋにおいて中間転写ベルトＢの裏面側に配置された１次転写ロールＴ１ｙ〜Ｔ１ｋには、制御部Ｃにより制御される電源回路Ｅから予め設定された時期にトナーの帯電極性と逆極性の１次転写電圧が印加される。したがって、各感光体ＰＲｙ〜ＰＲｋ上のトナー像は前記１次転写ロールＴ１ｙ〜Ｔ１ｋにより中間転写ベルトＢに転写される。なお、多色のトナー像の場合、上流側の１次転写領域で中間転写ベルトＢに転写されたトナー像に重ねて、下流側のトナー像が転写される。
１次転写後の感光体ＰＲｙ〜ＰＲｋの残留物、付着物は、感光体クリーナＣＬｙ〜ＣＬｋにより清掃される。清掃された感光体ＰＲｙ〜ＰＲｋ表面は、帯電ロールＣＲｙ〜ＣＲｋにより再帯電される。
１次転写領域Ｑ３ｙ〜Ｑ３ｋで１次転写ロールＴ１ｙ〜Ｔ１ｋにより中間転写ベルトＢ上に転写された単色または多色のトナー像は、２次転写領域Ｑ４に搬送される。
【００４２】
画像が記録される記録シートＳ１は、使用される給紙トレイＴＲ１〜ＴＲ３のピックアップロールＲｐにより、取り出される。ピックアップロールＲｐで取り出された記録シートＳ１は、複数枚の記録シートＳ１が重ねて取り出された場合、捌きロールＲｓにより１枚ずつに分離される。捌きロールＲｓで分離された記録シートＳ１は、搬送ロールＲａにより給紙路ＳＨを搬送される。給紙路ＳＨを搬送された記録シートＳ１は、レジロールＲｒに送られる。
【００４３】
レジロールＲｒは、中間転写ベルトＢに形成されたトナー像が２次転写領域Ｑ４に搬送される時期を合わせて、記録シートＳ１を２次転写領域Ｑ４に搬送する。２次転写ロールＴ２ｂには、電源回路Ｅによりトナーの帯電極性と逆極性の２次転写電圧が印加される。したがって、中間転写ベルトＢ上のトナー像は、中間転写ベルトＢから記録シートＳ１に転写される。
２次転写後の前記中間転写ベルトＢは、中間転写体清掃器の一例としてのベルトクリーナＣＬｂにより清掃される。
前記トナー像が２次転写された記録シートＳ１は、定着領域Ｑ５を通過する際に加熱定着される。
画像が定着された記録シートＳ１は、排紙路ＳＨ３を搬送される。排紙路ＳＨ３を搬送された記録シートＳ１は、排紙ロールＲｈにより排紙トレイＴＲｈに排出される。
【００４４】
（実施例１の制御部の説明）
図４は実施例１のクライアントパソコンの制御部が備えている各機能を機能ブロック図で示した図である。
（クライアントパソコンＰＣの制御部の説明）
図４において、前記クライアントパソコンＰＣのコンピュータ本体Ｈ１は、Ｉ／Ｏ、すなわち、入出力インターフェースを有する。前記入出力インターフェースは、外部との信号の入出力および入出力信号レベルの調節等を行う。また、前記コンピュータ本体Ｈ１は、ＲＯＭ、すなわち、Read Only Memory：リードオンリーメモリを有する。前記リードオンリーメモリには、必要な処理を行うためのプログラムおよびデータ等が記憶される。また、前記コンピュータ本体Ｈ１は、ＲＡＭ、すなわち、Random Access Memory：ランダムアクセスメモリを有する。前記ランダムアクセスメモリは、必要なデータを一時的に記憶する。また、前記コンピュータ本体Ｈ１は、ＣＰＵ、すなわち、Central Processing Unit：中央演算処理装置を有する。前記中央演算処理装置は、ハードディスク等に記憶されたプログラムに応じた処理を行う。また、前記コンピュータ本体Ｈ１は、クロック発振器等も有する。
【００４５】
前記クライアントパソコンＰＣは、ハードディスクやＲＯＭ等に記憶されたプログラムを実行することにより種々の機能を実現することができる。
前記クライアントパソコンＰＣのハードディスクには、基本ソフトウェアとしてのオペレーティングシステムＯＳが記憶されている。前記オペレーティングシステムＯＳは、コンピュータ装置の基本動作を制御する。
また、前記クライアントパソコンＰＣのハードディスクには、アプリケーションソフトウェアの一例としての印刷制御プログラムＡＰ１が記憶されている。前記印刷制御プログラムＡＰ１は、利用者の入力に応じて、印刷設定に応じて各複合機Ｕａ，Ｕｂに印刷情報や制御信号を送信して印刷を制御する。
なお、クライアントパソコンＰＣのハードディスクには、図示しない文書作成用ソフトウェアとしてのワープロソフトウェアや、電子メール送受信用ソフトウェア等のアプリケーションプログラム等が記憶されている。
以下、従来公知のオペレーティングシステムＯＳや図示しないアプリケーションプログラムを除く、印刷制御プログラムＡＰ１の各機能（制御手段）を説明する。
【００４６】
（印刷制御プログラムＡＰ１）
画像形成プログラムの一例としての印刷制御プログラムＡＰ１は、次の機能Ｃ１〜Ｃ９を有する。
図５は実施例１の表示画面の説明図であり、図５Ａは装飾の設定の有無を指定する画面の説明図、図５Ｂは装飾画像の形状を設定する画面の説明図、図５Ｃは装飾画像の縁取り量を設定する画面の説明図、図５Ｄは装飾画像の色を設定する画面の説明図、図５Ｅは白引きの指定と視認方向を指定する画面の説明図、図５Ｆは印刷順を告知する画像の説明図である。
装飾設定画像の表示手段Ｃ１は、クライアントパソコンＰＣ上で、付加画像の一例としての装飾画像を付与するか否かの指定を行うためのする画像をディスプレイＨ２に表示させる。図５Ａにおいて、実施例１の装飾設定画像の表示手段Ｃ１は、文書や画像等を印刷する際に、画像形成条件を指定する入力（印刷設定の入力）がされた場合に、装飾画像の有無を指定する装飾有無指定画像１１が表示される。装飾有無指定画像１１には、装飾の有無を指定するボタン１１ａと、図形の形状の設定を行うためのボタン１１ｂと、縁取り量の設定を行うためのボタン１１ｃと、装飾画像の色を設定するボタン１１ｄと、白引きの有無の設定を行うためのボタン１１ｅと、を有する。
【００４７】
図６は実施例の装飾画像の一例の説明図であり、図６Ａは星形の装飾画像の説明図、図６Ｂは丸形の装飾画像の説明図、図６Ｃは四角形の装飾画像の説明図、図６Ｄは雲形の装飾画像の説明図である。なお装飾画像とは、原画像に付与されることにより、原画像を目立たせたり、強調させたりするようなものを含む。
図形の形状の設定を行うボタン１１ｂの入力がされると、図５Ｂに示す図形指定画像１２が表示される。図形指定画像１２には、縁取りを指定する縁取りボタン１２ｆと、Ｙ，Ｍ，Ｃ，Ｋの画像（以下、カラー画像）に応じて付与するＳ，Ｇ，Ｗの画像（以下、特色画像）図形を自動的に選択する処理を指定する図形自動ボタン１２ａと、カラー画像２０の周りを囲む星形の図形３０ａ（図６Ａ参照）を指定する星形指定ボタン１２ｂと、カラー画像２０の周りを囲む丸型の図形３０ｂ（図６Ｂ参照）を指定する丸形指定ボタン１２ｃと、カラー画像２０の周りを囲む四角形３０ｃ（図６Ｃ参照）の図形を指定する四角形指定ボタン１２ｄと、カラー画像２０の周りを囲む雲形３０ｄ（図６Ｄ参照）の図形を指定する雲形指定ボタン１２ｅと、を有する。
【００４８】
縁取り量の設定を行うためのボタン１１ｃの入力がされると、図５Ｃに示す縁取り量指定画像１３が表示される。縁取り量指定画像１３は、縁取り量を上下させる入力を行う縁取り調整ボタン１３ａを有する。
装飾画像の色を設定するボタン１１ｄが入力されると、図５Ｄに示す色指定画像１４が表示される。実施例１の色指定画像１４は、金、銀、白の各色のいずれかを指定する各ボタン１４ａ〜１４ｃを有する。
白引きの有無の設定を行うためのボタン１１ｅが入力されると、図５Ｅに示す白引き指定画像１６が表示される。実施例１の白引き指定画像１６は、白引き、すなわち、カラー画像の下地層として白の画像の層を形成するか否かを指定するボタン１６ａと、ＯＨＰや樹脂フィルム等の透明な媒体を使用する場合に媒体に形成される画像を視認する方向を指定するボタン１６ｂとを有する。
【００４９】
装飾設定の記憶手段Ｃ２は、装飾有無指定画像１１〜白引き指定画像１６で指定された装飾の各種設定を記憶する。
レジずれ量の記憶手段Ｃ３は、第１の複合機Ｕａと第２の複合機Ｕｂとの間における、画像の位置ずれ量：レジずれ量を記憶する。すなわち、第１の複合機Ｕａで印刷された記録シートＳ１を第２の複合機Ｕｂにセットして印刷した場合に、第１の複合機で印刷された画像と、第２の複合機で印刷された画像との位置ずれ量が、レジずれ量として記憶される。実施例１では、レジずれ量は、複合機Ｕａ，Ｕｂの設置時に、サービスエンジニア等の作業者が計測して、キーボードＨ３等の入力手段から入力されたものが記憶されている。なお、画像を印刷する際に、利用者の一例としてのユーザーが入力、変更可能にすることも可能である。
【００５０】
媒体情報の記憶手段Ｃ４は、印刷に使用する記録シートＳ１の種類を記憶する。すなわち、普通紙や色紙、ＯＨＰシート等の記録シートＳ１の種類を記憶する。
装飾設定の判別手段Ｃ５は、文書作成ソフトや画像編集ソフト等から印刷を開始する入力がされた場合に、装飾設定がされているか否かを判別する。実施例１の装飾設定の判別手段Ｃ５は、装飾の有無を指定するボタン１１ａにおいて装飾なしの場合は装飾がなしと判別し、装飾ありの場合は、装飾ありと判別して、図形指定や縁取り量等の各設定を読み込む。
【００５１】
図７は実施例１のオブジェクト領域の説明図であり、図７Ａはカラー画像の一例の説明図、図７Ｂは図７Ａカラー画像から生成された特色画像の一例の説明図、図７Ｃは図７Ａのカラー画像と図７Ｂの特色画像が重ね合わされた印刷画像の説明図である。
オブジェクト領域の判別手段Ｃ６は、カラー画像において印刷される文字や図形等の画像の構成要素：オブジェクトを検出して、オブジェクトの領域を判別する。図７Ａにおいて、一例として、星形の図形２１と、文字２２、数字２３、線２４、四角形の枠２６を有するカラー画像において、各オブジェクト２１〜２６の領域Ａ１〜Ａ５を検出する。領域Ａ１〜Ａ５は各オブジェクトの外形を囲む領域を検出する。なお、図７では、一例として、文字２２や数字２３は、１つずつではなく文字の塊を１つの領域Ａ２として検出し、図７Ａでは文字２２の塊が数字２３の塊と近接しているため、文字２２と数字２３は一塊のオブジェクトとして検出している。なお、これに限定されず、文字２２や数字２３は１つずつをオブジェクト領域として検出してもよいし、文字２２の塊と数字２３の塊とを別のオブジェクト領域として検出してもよい。
【００５２】
印刷順の設定手段Ｃ７は、媒体の種類と、白引き指定画像１６での視認方向の指定とに基づいて、印刷順、すなわち、第１の複合機Ｕａ、第２の複合機Ｕｂの順に印刷を行うのか、第２の複合機Ｕｂ、第１の複合機Ｕａの順に印刷を行うのかを設定する。実施例１では、媒体の種類が、ＯＨＰ等の透明の媒体の場合で且つ視認方向が印刷面の反対側（裏側）の場合に、第１の複合機Ｕａから印刷を行い、その他の場合は、第２の複合機Ｕｂから印刷を行うように印刷順を設定する。
告知手段の一例としての印刷順の表示手段Ｃ８は、印刷順の設定手段Ｃ７で設定された印刷順を告知する画像１７（図５Ｆ参照）をディスプレイＨ２に表示する。
【００５３】
付加画像の作成手段Ｃ９は、大きさの設定手段Ｃ９Ａと、画像合成手段Ｃ９Ｂと、白引き領域の補正手段Ｃ９Ｃとを有し、付加画像の一例としての装飾画像を作成する。図７Ｂにおいて、実施例１の付加画像の作成手段Ｃ９は、オブジェクト領域Ａ１〜Ａ５と、レジずれ量に基づいて、オブジェクト領域Ａ１〜Ａ５の大きさよりも、少なくともレジずれ量分大きい大きさの装飾画像３１〜３３を生成する。また、付加画像の作成手段Ｃ９は、装飾設定の記憶手段Ｃ２に記憶された色等の各種の指定にも基づいて装飾画像３１〜３３を生成する。なお、実施例１では、図形指定画像で自動が設定された場合には、文字２２や数字２３に対しては丸形、図形２１，２４，２６については原画像に最も近い形状の図形を選択するように装飾画像を生成する。
【００５４】
図８は実施例１の付加画像の大きさの設定の説明図である。
大きさの設定手段Ｃ９Ａは、オブジェクト領域Ａ１〜Ａ５の大きさと、レジずれ量とに基づいて、装飾画像３１〜３３の大きさを設定する。図８において、実施例１では、一例として、オブジェクト領域Ａ０の外端から、レジずれ量Ｌ０分大きな領域Ｂ０を演算する。そして、領域Ｂ０を基準として、縁取りの指定がされている場合には縁取り量に応じた領域Ｃ０を装飾画像３１〜３３の大きさに設定する。また、装飾画像の形状（星形、丸形等）の指定がある場合には、各形状に対して予め定められた大きさの領域Ｃ０を装飾画像３１〜３３の大きさに設定する。
【００５５】
図９は実施例１の付加画像の合成の説明図であり、図９Ａは合成前の各付加画像の説明図であり、図９Ｂは合成後の付加画像の説明図である。
画像合成手段Ｃ９Ｂは、複数の装飾画像の各画像領域Ｃ０において一方の画像領域Ｃ０が他方の画像領域Ｃ０に重複した場合に、合成付与画像の一例としての装飾画像を合成した１つの装飾画像３２を生成する。図９において、一例として、文字２２および数字２３に基づく楕円状の装飾画像３２ａと、線２４に基づく四角形上の装飾画像３２ｂが生成された場合に、各画像領域Ｃ０ａ、Ｃ０ｂの一部Ｃ０ｃが重複する。したがって、実施例１では、２つの装飾画像３２ａ，３２ｂを合成して、１つの装飾画像３２を生成する。
【００５６】
図１０は実施例１の下引き画像の説明図である。
白引き領域の補正手段Ｃ９Ｃは、白引き領域の指定がある場合に、白引き領域としての装飾画像３３の補正を行う。図１０において、一例として、原画像であるカラー画像２１〜２５の領域Ａ１〜Ａ５に対して、下引き領域としての濃度が１００％の白の装飾画像の大きさを、領域Ａ１〜Ａ５に対してレジずれ量分大きな領域を下引き領域の大きさＢ０′として補正する。そして、下引き画像３３の大きさＢ０′よりも外側の領域の濃度は、丸形や雲形等の装飾画像３３として予め設定された濃度の画像が形成される。したがって、カラー画像の領域Ａ１〜Ａ５の下地部分と、その外側のレジずれ量の領域Ｂ０′の部分は、濃度が１００％に設定されるが、領域Ｂ０′の外側の領域は、グラデーション等により濃度が場所によって変化する画像とすることが可能である。
【００５７】
（画像形成装置の制御部の説明）
図１１は実施例１の複合機が備えている機能を機能ブロック図で示した図である。
なお、以下は、第１の複合機Ｕａの制御部Ｃについて説明し、第２の複合機Ｕｂについては同様であるため、詳細な説明は省略する。
実施例１の第１の複合機Ｕａの制御部Ｃは、外部との信号の入出力等を行う入出力インターフェースＩ／Ｏを有する。また、制御部Ｃは、必要な処理を行うためのプログラムおよび情報等が記憶されたＲＯＭ：リードオンリーメモリを有する。また、制御部Ｃは、必要なデータを一時的に記憶するためのＲＡＭ：ランダムアクセスメモリを有する。また、制御部Ｃは、ＲＯＭ等に記憶されたプログラムに応じた処理を行うＣＰＵ：中央演算処理装置を有する。したがって、実施例１の制御部Ｃは、小型の情報処理装置、いわゆるマイクロコンピュータにより構成されている。よって、制御部Ｃは、ＲＯＭ等に記憶されたプログラムを実行することにより種々の機能を実現することができる。
【００５８】
（制御部Ｃに接続された信号出力要素）
制御部Ｃは、操作部ＵＩや図示しない各種センサ等の信号出力要素からの出力信号が入力されている。
操作部ＵＩは、ディスプレイＵＩａや入力ボタンＵＩｂ等を備えている。なお、実施例１の入力ボタンＵＩｂは、画像形成動作を開始するためのスタートキーや、テンキー、矢印キー等を有する。
【００５９】
（制御部Ｃの機能）
制御部Ｃは、前記信号出力要素からの入力信号に応じた処理を実行して、前記各制御要素に制御信号を出力する機能を有している。すなわち、制御部Ｃは次の機能Ｃ１０１〜Ｃ１０２を有する。
印刷情報の受信手段Ｃ１０１は、クライアントパソコンＰＣから送信された印刷情報を受信する。
画像形成の制御手段Ｃ１０２は、原稿搬送装置Ｕ１の読取りや、装置本体Ｕ２の各部材の駆動や各電圧の印加時期等を制御して画像形成動作であるジョブを実行する。
【００６０】
（実施例１の印刷制御処理のフローチャートの説明）
図１２は本発明の実施例１の印刷制御処理のフローチャートである。
図１２のフローチャートの各ＳＴ（ステップ）の処理は、クライアントパソコンＰＣの印刷制御プログラムに従って行われる。また、この処理は前記制御部の他の各種処理と並行してマルチタスクで実行される。
なお、画像形成条件を指定する画像を表示する処理や、各複合機Ｕａ，ＵｂのディスプレイＵＩａに画像を表示する処理は、簡単なため図示及び詳細な説明は省略する。
【００６１】
図１２に示すフローチャートは印刷制御プログラムＡＰ１が起動された場合に開始される。
図１２のＳＴ１において、印刷開始の入力がされたか否かを判別する。イエス（Ｙ）の場合はＳＴ２に進み、ノー（Ｎ）の場合はＳＴ１を繰り返す。
ＳＴ２において、装飾のユーザー指定があるか否かを判別する。ノー（Ｎ）の場合はＳＴ３に進み、イエス（Ｙ）の場合はＳＴ４に進む。
ＳＴ３において、装飾画像３１〜３３を生成しないカラー画像（原画像）２１〜２６だけの画像形成を実行する。すなわち、第１の複合機Ｕａにのみ印刷データを送信して、カラー画像を印刷させる。そして、ＳＴ１に戻る。
【００６２】
ＳＴ４において、次の処理（１）〜（３）を実行して、ＳＴ５に進む。
（１）レジずれ量を取得する
（２）装飾画像３１〜３３の色や縁取り量、形状等のユーザー指定データを取得する。
（３）媒体の種類のデータを取得する。
ＳＴ５において、カラー画像２１〜２６のオブジェクト領域Ａ１〜Ａ５を検出する。そして、ＳＴ６に進む。
ＳＴ６において、媒体の種類に応じて印刷順を判別して、表示する。そして、ＳＴ７に進む。
ＳＴ７において、オブジェクト領域Ａ１〜Ａ５と、レジずれ量、ユーザー指定に応じて、装飾画像（付加画像）３１〜３３を作成する。そして、ＳＴ８に進む。
【００６３】
ＳＴ８において、重複する装飾画像３２ａ，３２ｂを合成する。そして、ＳＴ９に進む。
ＳＴ９において、白引き領域の大きさＢ０′と濃度をレジずれ量に応じて補正する。そして、ＳＴ１０に進む。
ＳＴ１０において、カラー画像２１〜２６のデータを第１の複合機Ｕａに送信すると共に、作成された装飾画像３１〜３３のデータを第２の複合機Ｕｂに送信する。そして、ＳＴ１に戻る。
【００６４】
（実施例１の作用）
前記構成を備えた実施例１の画像形成システムＳでは、利用者が画像形成条件として、装飾の有無や装飾の内容が指定可能である。そして、指定された装飾の内容に応じて、装飾画像３１〜３３が作成される。したがって、利用者が画像編集ソフト等で装飾画像を作成しなくても、原画像（カラー画像）に応じた装飾画像３１〜３３が自動的に作成される。したがって、装飾性の高い画像を容易に得ることが可能である。
また、実施例１では、装飾画像３１〜３３は、カラー画像２１〜２６に対して、レジずれ量以上大きい領域Ｂ０，Ｂ０′が形成される。仮に、カラー画像２１〜２６に対して、レジずれ量を考慮せずに装飾画像３１〜３３を形成した場合に、第１の複合機Ｕａと第２の複合機Ｕｂとの間のレジずれで、カラー画像２１〜２６の片側によったり、カラー画像２１〜２６の片側に装飾画像が存在しなかったりする場合がある。このようにして形成された印刷物は、位置ずれが目立ちやすく、印刷物として不良となる恐れが高い。これに対して、実施例１では、レジずれ量以上の領域Ｂ０，Ｂ０′を基準として装飾画像３１〜３３が生成されており、レジずれ量を考慮しない場合に比べて、位置ずれが目立ちにくい。
【００６５】
また、実施例１では、利用者の指定に応じて、星形３０ａや丸形３０ｂ、四角形３０ｃ、雲形３０ｄ等の任意の装飾画像を形成可能である。幅方向の中央を中心として線対称な星形３０ａや丸形３０ｂ、四角形３０ｃでは、カラー画像２１〜２６に対して装飾画像３１〜３３がレジずれでずれると、対称の形状であるため、左右の幅が異なり、レジずれが目立ちやすい。一方で、非対称な雲形３０ｄでは、レジずれがあっても目立ちにくい。したがって、非対称の装飾画像３０ｄを形成した場合には、対称の装飾画像を形成した場合に比べて、さらにレジずれ（位置ずれ）が目立ちにくくなる。
【００６６】
さらに、実施例１では、白引き領域の場合には、レジずれ量分の領域Ｂ０′の濃度が最高の濃度である１００％、いわゆる白ベタに設定される。仮に、カラー画像２１〜２６の下地の領域のみが１００％濃度で、レジずれ量分の領域Ｂ０′の濃度が低濃度の場合、レジずれで低濃度の部分にカラー画像２１〜２６が差し掛かると、１００％濃度が下地の部分と、低濃度が下地の部分とで、記録シートＳ１の地色との関係で、カラー画像２１〜２６の色味に違いが発生する問題がある。これに対して、実施例１では、レジずれ量分の領域Ｂ０′が最高濃度に設定されており、レジずれがあっても、カラー画像２１〜２６の色味への悪影響が低減される。また、レジずれ量分の領域Ｂ０′よりも外側では、濃度変化が可能であり、装飾画像３１〜３３の画像の自由度は確保され、装飾性の高い装飾画像３１〜３３を生成可能である。
【００６７】
また、実施例１では、装飾画像３１〜３３の生成を「自動」に指定した場合には、原画像２１〜２６に応じて、それぞれ装飾画像３１〜３３が自動的に生成される。よって、利用者が装飾画像３１〜３３の選択に迷っても、自動で原画像２１〜２６に適した装飾画像３１〜３３が自動的に生成される。
さらに、実施例１では、装飾画像３２ａ，３２ｂが重なる場合には、１つの装飾画像３２に合成される。したがって、近接する文字２２や数字２３、線２４等に対して個別に装飾画像が付与されるのではなく、文字２２等の塊をまとめて覆う装飾を行うことが可能である。また、２つの画像を生成して印刷する場合、境界の部分に隙間が発生したり、色味に違いがでて装飾性が低下し、隙間等が目立ちやすいが、１つの画像に合成して印刷すると、隙間等が発生しにくく、装飾性の低下を回避可能である。
【００６８】
さらに、実施例１では、装飾有無指定画像１１等で、利用者が装飾の内容を指定することが可能である。したがって、利用者の好みに応じた装飾画像３１〜３３を生成可能である。また、実施例１では、縁取り量を変更することで、実質的に装飾画像３１〜３３の大きさを変更可能である。したがって、利用者の好みや目的に応じて装飾画像３１〜３３の大きさも変更可能である。さらに、装飾画像の色も利用者が指定することが可能である。
また、実施例１では、媒体の種類や視認方向の指定に応じて、印刷順が判別され、表示される。したがって、カラー画像２１〜２６と下地の画像（装飾画像３１〜３３）とが視認方向に対して適切な順に積層されるように、印刷順が自動的に設定され、表示される。したがって、利用者が、自分で印刷順を考えなくても、自動的に適切な印刷順が表示される。よって、印刷順を間違えて不適切な画像が印刷されることが防止される。
【００６９】
（変更例）
以上、本発明の実施例を詳述したが、本発明は、前記実施例に限定されるものではなく、特許請求の範囲に記載された本発明の要旨の範囲で、種々の変更を行うことが可能である。本発明の変更例（Ｈ01）〜（Ｈ05）を下記に例示する。
（Ｈ01）前記実施例において、各画面や画像は、例示したものに限定されず、設計や仕様等に応じて、任意の画像に変更可能である。
（Ｈ02）前記実施例において、画像形成装置の一例として、複数の機能を有する複合機を例示したが、これに限定されない。例えば、複写機やプリンタ、ＦＡＸ等の画像形成装置にも適用可能である。
【００７０】
（Ｈ03）前記実施例において、装飾画像の条件として、形状や縁取り量、色、白引き、視認方向を例示したが、これに限定されない。いずれかの設定ができないようにすることも可能であるし、他にも条件を追加することも可能である。また、使用する現像剤として、金、銀、白を例示したが、これに限定されない。例えば、透明なトナーや、オレンジ、グリーン、バイオレット等の有色の現像剤を使用したり、企業が自社のイメージカラーとして設定した色（いわゆるコーポレートカラー）の現像剤を使用したり、偽造防止用の赤外線を吸収する現像剤（可視光は透過性の現像剤）を使用することも可能である。したがって、使用する現像剤に応じて条件を追加、変更することも可能である。他にも、実施例で例示していない使用法として、透明トナーを下地として使用して画像の縁取りのような効果を出させることも可能である。
【００７１】
（Ｈ04）前記実施例において、２台の複合機Ｕａ，Ｕｂを使用する構成を例示したがこれに限定されない。３台以上の複合機を使用する構成とすることも可能である。また、クライアントパソコンＰＣで画像形成システムＳの制御を行う構成を例示したがこれに限定されない。例えば、クライアントパソコンＰＣと複合機Ｕａ，Ｕｂとの間にプリントサーバを設置してプリントサーバが装飾画像３１〜３３の生成や複合機Ｕａ，Ｕｂの印刷順や印刷情報の送受信等を制御する構成とすることも可能である。他にも、装飾画像の条件の指定をクライアントパソコンＰＣで行わず、複合機Ｕａ，Ｕｂの操作部ＵＩ（入力手段）で入力する構成とすることも可能である。また、広く普及している４色の画像形成が可能な２台の複合機Ｕａ，Ｕｂを使用することが費用面で望ましいが、１台の複合機の筐体の中に８色分（５色以上）の作像部を内蔵した専用の構成とすることも可能である。
【００７２】
（Ｈ05）前記実施例において、複数台の複合機Ｕａ，Ｕｂの間を、利用者が手動で記録シートＳ１を移動させる構成を例示したが、これに限定されない。複合機Ｕａ，Ｕｂの間を用紙搬送装置で連結して、一方の複合機で印刷後の用紙を他方の複合機に搬送する構成とすることも可能である。
【符号の説明】
【００７３】
２１〜２６…原画像、
２１，２２，２３，２４，２６…原画像を構成する要素、
３１〜３３…付与画像、
Ａ１〜Ａ５…原画像が重なる領域、
Ｃ０ａ，Ｃ０ｂ…複数の付与画像の各画像領域、
Ｃ７…設定手段、
Ｃ８…告知手段、
Ｃ９…生成手段、
Ｈ３，Ｈ４…入力手段、
Ｓ…画像形成システム、
Ｓ１…媒体、
Ｕａ…第１の画像形成装置、
Ｕｂ…第２の画像形成装置、
Ｕｙ〜Ｕｋ…像形成手段。
【図１】
2020053896.tif 000003
【図２】
2020053896.tif 000004
【図３】
2020053896.tif 000005
【図４】
2020053896.tif 000006
【図５】
2020053896.tif 000007
【図６】
2020053896.tif 000008
【図７】
2020053896.tif 000009
【図８】
2020053896.tif 000010
【図９】
2020053896.tif 000011
【図１０】
2020053896.tif 000012
【図１１】
2020053896.tif 000013
【図１２】
2020053896.tif 000014